(57)【特許請求の範囲】
【請求項１】
施工内容と撮影タイミングとを含む属性情報と撮影画像とを対応付ける端末装置から、前記属性情報が対応付けられた複数の撮影画像を取得する第１の取得部と、
施工状況を報告する書類に対する挿入ルール及び／または表記ルールを取得する第２の取得部と、
前記第１の取得部により取得された複数の撮影画像に対応付けられた属性情報と、前記第２の取得部により取得された挿入ルール及び／または表記ルールとに基づいて、画像情報を生成する生成部と、
前記画像情報が生成される際、同じ属性情報に複数の撮影画像が対応付けられていた場合は、前記複数の撮影画像の中から最後に撮影された１の撮影画像を選択し、同じ属性情報に１の撮影画像が対応付けられていた場合は、該１の撮影画像を選択する自動選択部と
を有する作業支援装置。
【請求項２】
前記挿入ルールには、挿入順序が含まれ、該挿入順序は、前記属性情報に含まれる施工内容または撮影タイミングにより決定される、請求項１に記載の作業支援装置。
【請求項３】
前記属性情報は、更に、施工業者を特定する情報、撮影者を特定する情報、撮影画像に対する評価、撮影日時を特定する情報、施工立会者に関する情報を含む、請求項１に記載の作業支援装置。
【請求項４】
同じ属性情報に複数の撮影画像が対応付けられ、前記画像情報が生成される際に、選択候補として表示された場合に、前記選択候補として表示された複数の撮影画像の中から１の撮影画像を選択する手動選択部を有し、
前記手動選択部により選択された後に、同じ属性情報に追加の撮影画像が対応付けられた場合、前記手動選択部により選択された１の撮影画像と、前記追加の撮影画像とが選択候補として表示される、請求項１に記載の作業支援装置。
【請求項５】
前記端末装置は、更に画像を撮像する撮像部を有し、
前記施工内容と前記撮影タイミングとを前記端末装置に提供する提供部を更に有する、請求項１に記載の作業支援装置。
【請求項６】
施工内容と撮影タイミングとを含む属性情報と撮影画像とを対応付ける端末装置から、前記属性情報が対応付けられた複数の撮影画像を取得する第１の取得工程と、
施工状況を報告する書類に対する挿入ルール及び／または表記ルールを取得する第２の取得工程と、
前記第１の取得工程において取得された複数の撮影画像に対応付けられた属性情報と、前記第２の取得工程において取得された挿入ルール及び／または表記ルールとに基づいて、画像情報を生成する生成工程と、
前記画像情報が生成される際、同じ属性情報に複数の撮影画像が対応付けられていた場合は、前記複数の撮影画像の中から最後に撮影された１の撮影画像を選択し、同じ属性情報に１の撮影画像が対応付けられていた場合は、該１の撮影画像を選択する自動選択工程と
をコンピュータに実行させるための作業支援プログラム。
【発明の詳細な説明】
【技術分野】
【０００１】
本開示は、作業支援装置及び作業支援プログラムに関する。
【背景技術】
【０００２】
一般に、各種機器システムの施工時には、施工現場において施工写真の撮影が行われる。また、このとき撮影された施工写真は、施工完了時に施工状況を報告する各種書類（例えば、完成図書等）に掲載され、顧客に納品される。
【先行技術文献】
【特許文献】
【０００３】
【特許文献１】特開２０１３−１２５５３５号公報
【特許文献２】特開２００６−１４６６８２号公報
【発明の概要】
【発明が解決しようとする課題】
【０００４】
しかしながら、機器システムの規模が大きくなると、施工現場において撮影される施工写真の枚数も増え、各種書類を作成する際の作業負荷が増大する。
【０００５】
本開示は、施工状況を報告する書類を作成する際の作業負荷を低減する作業支援装置及び作業支援プログラムを提供する。
【課題を解決するための手段】
【０００６】
本開示の第１の態様は、作業支援装置であって、
施工内容と撮影タイミングとを含む属性情報と撮影画像とを対応付ける端末装置から、前記属性情報が対応付けられた複数の撮影画像を取得する第１の取得部と、
施工状況を報告する書類に対する挿入ルール及び／または表記ルールを取得する第２の取得部と、
前記第１の取得部により取得された複数の撮影画像に対応付けられた属性情報と、前記第２の取得部により取得された挿入ルール及び／または表記ルールとに基づいて、画像情報を生成する生成部と、
前記画像情報が生成される際、同じ属性情報に複数の撮影画像が対応付けられていた場合は、前記複数の撮影画像の中から最後に撮影された１の撮影画像を選択し、同じ属性情報に１の撮影画像が対応付けられていた場合は、該１の撮影画像を選択する自動選択部とを有する。
【０００７】
本開示の第１の態様によれば、施工状況を報告する書類を作成する際の作業負荷を低減する作業支援装置を提供することができる。
【０００８】
また、本開示の第２の態様は、第１の態様に記載の作業支援装置であって、
前記挿入ルールには、挿入順序が含まれ、該挿入順序は、前記属性情報に含まれる施工内容または撮影タイミングにより決定される。
【０００９】
また、本開示の第３の態様は、第１の態様に記載の作業支援装置であって、
前記属性情報は、更に、施工業者を特定する情報、撮影者を特定する情報、撮影画像に対する評価、撮影日時を特定する情報、施工立会者に関する情報を含む。
【００１０】
また、本開示の第４の態様は、第１の態様に記載の作業支援装置であって、
同じ属性情報に複数の撮影画像が対応付けられ、前記画像情報が生成される際に、選択候補として表示された場合に、前記選択候補として表示された複数の撮影画像の中から１の撮影画像を選択する手動選択部を有し、
前記手動選択部により選択された後に、同じ属性情報に追加の撮影画像が対応付けられた場合、前記手動選択部により選択された１の撮影画像と、前記追加の撮影画像とが選択候補として表示される。
【００１１】
また、本開示の第５の態様は、第１の態様に記載の作業支援装置であって、
前記端末装置は、更に画像を撮像する撮像部を有し、
前記施工内容と前記撮影タイミングとを前記端末装置に提供する提供部を更に有する。
【００１２】
また、本開示の第６の態様は、作業支援プログラムであって、
施工内容と撮影タイミングとを含む属性情報と撮影画像とを対応付ける端末装置から、前記属性情報が対応付けられた複数の撮影画像を取得する第１の取得工程と、
施工状況を報告する書類に対する挿入ルール及び／または表記ルールを取得する第２の取得工程と、
前記第１の取得工程において取得された複数の撮影画像に対応付けられた属性情報と、前記第２の取得工程において取得された挿入ルール及び／または表記ルールとに基づいて、画像情報を生成する生成工程と、
前記画像情報が生成される際、同じ属性情報に複数の撮影画像が対応付けられていた場合は、前記複数の撮影画像の中から最後に撮影された１の撮影画像を選択し、同じ属性情報に１の撮影画像が対応付けられていた場合は、該１の撮影画像を選択する自動選択工程とをコンピュータに実行させる。
【００１３】
本開示の第６の態様によれば、施工状況を報告する書類を作成する際の作業負荷を低減する作業支援プログラムを提供することができる。
【図面の簡単な説明】
【００１４】
【図１】作業支援システムのシステム構成の一例を示す図である。
【図２】完成図書の構成例を示す図である。
【図３】作業支援システムにおける準備フェーズの処理の流れを示すシーケンス図である。
【図４】作業支援システムにおける施工フェーズの処理の流れを示すシーケンス図である。
【図５】サーバ装置及び端末装置のハードウェア構成の一例を示す図である。
【図６】施工業者情報、アプリケーション情報の一例を示す図である。
【図７】案件情報、場所及び機器情報、工程及び作業情報、撮影タイミング情報の一例を示す図である。
【図８】テンプレート取得から挿入前情報生成までの処理の具体例を示す図である。
【図９】属性情報取得から撮影までの処理の具体例を示す図である。
【図１０】挿入ルールに基づく配列例を示す第１の図である。
【図１１】挿入ルールに基づく配列例を示す第２の図である。
【図１２】挿入ルール取得から完成図書生成までの処理の具体例を示す図である。
【図１３】表示及び選択の処理の具体例を示す第１の図である。
【図１４】表示及び選択の処理の具体例を示す第２の図である。
【図１５】完成図書生成処理の流れを示すフローチャートの一例である。
【発明を実施するための形態】
【００１５】
以下、各実施形態について添付の図面を参照しながら説明する。なお、本明細書及び図面において、実質的に同一の機能構成を有する構成要素については、同一の符号を付することにより重複した説明を省く。
【００１６】
［第１の実施形態］
＜作業支援システムのシステム構成＞
はじめに、第１の実施形態に係る作業支援システムのシステム構成について説明する。図１は、作業支援システムのシステム構成の一例を示す図である。図１に示すように、作業支援システム１００は、情報入力装置１１０、サーバ装置１２０、情報出力装置１４０、端末装置１５０を有する。作業支援システム１００において、情報入力装置１１０、情報出力装置１４０、端末装置１５０は、それぞれ、サーバ装置１２０と通信可能に接続される。
【００１７】
情報入力装置１１０は、エンジニアリング事業者（以下、単に、「事業者」と称す）１８１が用いる装置である。事業者１８１は、顧客１８０からの依頼を受けて、機器システムの設備設計を行う。その際、事業者１８１は、"施工に必要な各種情報"を、情報入力装置１１０を介して入力する。また、事業者１８１は、情報入力装置１１０を介して、施工状況を報告するための書類（本実施形態では「完成図書」と称す）を生成し、顧客１８０に納品する。
【００１８】
なお、本実施形態では、施工対象の機器システムが空調機器システムであるとして説明するが、施工対象の機器システムは、空調機器システムに限定されず、他の機器システムであってもよい。
【００１９】
また、"施工に必要な各種情報"には、例えば、実際に施工現場で施工を行う施工業者１８２に関する情報や、施工業者１８２が施工現場で施工を行う際に、端末装置１５０にダウンロードして用いるアプリケーションに関する情報が含まれる。更に、"施工に必要な各種情報"には、空調機器システムの施工に関する属性情報（以下、「属性情報」と称す）や、完成図書の生成に用いるルール情報等が含まれる。
【００２０】
サーバ装置１２０は作業支援装置の一例であり、
・事業者１８１が完成図書を生成する作業、
・完成図書に挿入される撮影画像データを生成するために、施工業者１８２が施工現場において施工写真の撮影を行う作業、
等を支援する。
【００２１】
サーバ装置１２０には、作業支援プログラムがインストールされており、当該プログラムが実行されることで、サーバ装置１２０は、
・登録部１２１、
・アプリケーション提供部１２２、
・属性情報提供部１２３、
・ルール取得部１２４、
・施工写真取得部１２５、
・完成図書生成部１２６、
として機能する。
【００２２】
登録部１２１は、情報入力装置１１０を介して事業者１８１により入力された、施工業者１８２に関する情報を、施工業者情報格納部１３１に格納する。また、登録部１２１は、施工業者１８２が、端末装置１５０を介してサーバ装置１２０にアクセスした際、施工業者情報格納部１３１を参照し、施工業者１８２に対する認証処理を行う。
【００２３】
アプリケーション提供部１２２は、情報入力装置１１０を介して事業者１８１により入力されたアプリケーションに関する情報を、アプリ格納部１３２に格納する。また、アプリケーション提供部１２２は、施工業者１８２が、端末装置１５０を介してアプリケーションのダウンロード要求を行った場合に、端末装置１５０に、要求されたアプリケーションをダウンロードする。
【００２４】
属性情報提供部１２３は提供部の一例である。属性情報提供部１２３は、情報入力装置１１０を介して事業者１８１により入力された属性情報を、属性情報格納部１３３に格納する。また、属性情報提供部１２３は、施工業者１８２が、アプリケーションを起動してログイン操作を行った場合であって、登録部１２１が認証に成功したと判定した場合に、端末装置１５０に対して属性情報を提供する。
【００２５】
ルール取得部１２４は第２の取得部の一例である。ルール取得部１２４は、情報入力装置１１０を介して事業者１８１により入力されたルール情報として、完成図書を生成する際の属性情報の表記ルール及び／または撮影画像データを完成図書に挿入する際の挿入ルールを取得する。
【００２６】
なお、表記ルールは、施工業者１８２が施工現場において撮影を行うことで生成された撮影画像データを完成図書に挿入する際に、対応付けて表記する属性情報の表記内容を定めたルールである。表記ルールは、例えば、事業者１８１により決定される。また、挿入ルールは、撮影画像データを完成図書に挿入する際の挿入順序等を定めたルールである。挿入ルールは、例えば、事業者１８１により決定される。
【００２７】
また、ルール取得部１２４は、取得した表記ルールに基づいて、完成図書用のテンプレートに属性情報の表記内容を入力することで、撮影画像データを挿入する前の情報である「挿入前情報」を生成し、挿入前情報格納部１３４に格納する。
【００２８】
更に、ルール取得部１２４は、取得した挿入ルール及び生成した挿入前情報を完成図書生成部１２６に通知する。
【００２９】
施工写真取得部１２５は第１の取得部の一例である。施工写真取得部１２５は、施工業者１８２が端末装置１５０上でアプリケーションを起動し、施工現場において撮影を行うことで生成された撮影画像データを、端末装置１５０から受信する。また、施工写真取得部１２５は、受信した撮影画像データを、施工写真として、施工写真格納部１３５に格納する。
【００３０】
なお、アプリケーションの起動中に撮影を行うことで生成された撮影画像データのヘッダ部には、属性情報提供部１２３によって端末装置１５０に提供された属性情報が記録されているものとする。
【００３１】
完成図書生成部１２６は生成部及び選択部の一例である。完成図書生成部１２６は、空調機器システムの施工完了時に完成図書データを生成する。具体的には、完成図書生成部１２６は、施工写真格納部１３５より、施工写真として格納された撮影画像データを読み出す。また、完成図書生成部１２６は、読み出した撮影画像データを、挿入ルールに従って挿入前情報に挿入することで、完成図書データを生成する。
【００３２】
また、完成図書生成部１２６は、生成した完成図書データを完成図書格納部１３６に格納する。更に、完成図書生成部１２６は、顧客１８０が情報出力装置１４０を介してサーバ装置１２０に完成図書データの送信要求を行った場合に、完成図書格納部１３６に格納されている完成図書データを読み出し、情報出力装置１４０に送信する。
【００３３】
端末装置１５０は、施工業者１８２が施工現場において携行する装置である。施工業者１８２は、空調機器１（符号１７０＿１）〜空調機器ｎ（符号１７０＿ｎ）を含む空調機器システムの施工を行う際に、端末装置１５０を携行する。
【００３４】
施工業者１８２は、端末装置１５０を介してサーバ装置１２０に対してアプリケーションのダウンロード要求を行い、サーバ装置１２０よりダウンロードされたアプリケーションを、端末装置１５０にインストールする。
【００３５】
また、施工業者１８２は、端末装置１５０上でアプリケーションを起動し、サーバ装置１２０に対してログイン操作を行うことで、サーバ装置１２０より、属性情報を取得する。更に、施工業者１８２は、起動したアプリケーションを介して施工現場において施工写真の撮影を行い、撮影画像データをサーバ装置１２０に送信する。
【００３６】
＜完成図書の構成例＞
次に、完成図書の構成例について説明する。図２は、完成図書の構成例を示す図である。図２に示すように、完成図書２００は、表紙、機器納入書、取扱説明書、竣工図、空調機試運転表、気密試験結果表、通水試験結果表、風量測定試験比較表、施工写真台帳、設備管理台帳、保証書、保守連絡先リスト等により構成される。
【００３７】
このうち、本実施形態に係るサーバ装置１２０では、主に、
・事業者１８１が施工写真台帳のデータ（画像情報）を生成する作業、
・施工写真台帳データに挿入される撮影画像データを生成するために、施工業者１８２が施工現場において施工写真の撮影を行う作業、
を支援する。このため、以下では、作業支援システム１００において行われる各種処理のうち、主として、施工写真台帳データの生成に関する処理について説明する。
【００３８】
＜作業支援システムの処理の流れ＞
作業支援システム１００において行われる、施工写真台帳データの生成に関する処理は、準備フェーズと施工フェーズとに大別される。そこで、以下では、両者を分けて説明する。
【００３９】
（１）準備フェーズの処理の流れ
はじめに、作業支援システム１００における準備フェーズの処理の流れについて説明する。図３は、作業支援システムにおける準備フェーズの処理の流れを示すシーケンス図である。
【００４０】
図３に示すように、ステップＳ３０１において、顧客１８０は、事業者１８１に対して施工依頼を行う。顧客１８０から事業者１８１への施工依頼は、不図示の電話等を介して行ってもよいし、情報出力装置１４０及び情報入力装置１１０を介して行ってもよい。
【００４１】
事業者１８１は、顧客１８０より施工依頼を受けると、ステップＳ３０２において、情報入力装置１１０を介して、施工に必要な各種情報の登録作業を行う。事業者１８１が行う登録作業には、施工業者情報の登録作業、アプリケーションの登録作業、属性情報の登録作業等が含まれる。
【００４２】
事業者１８１が各種登録作業を行うと、ステップＳ３０３において、サーバ装置１２０は、情報入力装置１１０より送信された、施工業者情報、アプリケーション、属性情報等を登録する。
【００４３】
具体的には、登録部１２１は、施工業者情報を施工業者情報格納部１３１に格納する。また、アプリケーション提供部１２２は、アプリケーション及びアプリケーションに関する情報をアプリ格納部１３２に格納する。更に、属性情報提供部１２３は、属性情報を、属性情報格納部１３３に格納する。
【００４４】
ステップＳ３０４において、端末装置１５０は、施工業者１８２の指示に基づいて、アプリケーションのダウンロード要求を行う。具体的には、端末装置１５０は、サーバ装置１２０に対してアプリケーションのダウンロード要求を送信する。
【００４５】
ステップＳ３０５において、サーバ装置１２０のアプリケーション提供部１２２は、端末装置１５０からダウンロード要求を受信すると、アプリ格納部１３２に格納されたアプリケーションを、端末装置１５０にダウンロードする。
【００４６】
ステップＳ３０６において、端末装置１５０は、ダウンロードされたアプリケーションをインストールする。
【００４７】
（２）施工フェーズの処理の流れ
次に、作業支援システム１００における施工フェーズの処理の流れについて説明する。図４は、作業支援システムにおける施工フェーズの処理の流れを示すシーケンス図である。
【００４８】
図４に示すように、ステップＳ４０１において、事業者１８１は、施工写真台帳用のテンプレートを生成し、情報入力装置１１０は、事業者１８１により生成された施工写真台帳用のテンプレートを、サーバ装置１２０に送信する。
【００４９】
ステップＳ４０２において、サーバ装置１２０のルール取得部１２４は、情報入力装置１１０より送信された施工写真台帳用のテンプレートを取得する。
【００５０】
ステップＳ４０３において、事業者１８１は、表記ルールを決定し、情報入力装置１１０は、事業者１８１により決定された表記ルールを、サーバ装置１２０に送信する。
【００５１】
ステップＳ４０４において、サーバ装置１２０のルール取得部１２４は、情報入力装置１１０より送信された表記ルールを取得する。
【００５２】
ステップＳ４０５において、サーバ装置１２０のルール取得部１２４は、属性情報格納部１３３に格納された属性情報を読み出し、施工写真台帳用のテンプレートに対して、取得した表記ルールに定められた表記内容を設定し、挿入前情報を生成する。
【００５３】
ステップＳ４０６において、施工業者１８２は、端末装置１５０内にインストールされたアプリケーションを起動し、サーバ装置１２０に対してログイン操作を行う。端末装置１５０では、ログイン操作時に施工業者１８２により入力されたパスワードを、サーバ装置１２０に送信する。
【００５４】
ステップＳ４０７において、サーバ装置１２０は、端末装置１５０より送信されたパスワードに基づいて認証処理を行い、認証に成功したと判定した場合には、ステップＳ４０８に進む。
【００５５】
ステップＳ４０８において、サーバ装置１２０の属性情報提供部１２３は、属性情報提供処理を行う。具体的には、サーバ装置１２０の属性情報提供部１２３は、属性情報格納部１３３に格納された属性情報を端末装置１５０に提供する。
【００５６】
なお、本実施形態において、属性情報には、"案件情報"と、"施工内容"と、"撮影タイミング情報"とが含まれる。このうち、施工内容については、場所及び機器に基づいて区分した「場所及び機器情報」と、工程及び作業に基づいて区分した「工程及び作業情報」とに分けて、属性情報格納部１３３に格納されているものとする。
【００５７】
このため、サーバ装置１２０の属性情報提供部１２３は、ステップＳ４０８において、端末装置１５０に対して、属性情報として、"案件情報"、"場所及び機器情報"、"工程及び作業情報"、"撮影タイミング情報"を提供する。
【００５８】
ステップＳ４０９において、端末装置１５０は、アプリケーションを介して属性情報を取得する。
【００５９】
具体的には、端末装置１５０は、サーバ装置１２０から送信された"案件情報"を表示し、施工業者１８２から、案件の選択を受け付ける。
【００６０】
また、端末装置１５０は、サーバ装置１２０から送信された"場所及び機器情報"を表示し、施工業者１８２から、場所及び機器の選択を受け付ける。
【００６１】
また、端末装置１５０は、サーバ装置１２０から送信された"工程及び作業情報"を表示し、施工業者１８２から、工程及び作業の選択を受け付ける。
【００６２】
更に、端末装置１５０は、サーバ装置１２０から送信された"撮影タイミング情報"を表示し、施工業者１８２から、撮影タイミングの選択を受け付ける。
【００６３】
ステップＳ４１０において、施工業者１８２は、アプリケーションを介して端末装置１５０の撮像装置５２８を起動し、施工現場において施工写真の撮影を行う。なお、施工業者１８２は、施工現場において施工写真の撮影を行う際、必要に応じて端末装置１５０に"追加情報"を入力してもよい。
【００６４】
ここでいう追加情報には、例えば、施工業者を特定する情報、撮影者を特定する情報、撮影画像データに対する評価、撮影日時を特定する情報（以下、単に「撮影日」と称す）、施工立会者に関する情報が含まれる。なお、追加情報には、場所及び機器情報、工程及び作業情報が含まれていてもよい。つまり、施工業者１８２は、場所及び機器、工程及び作業を、サーバ装置１２０から送信された"場所及び機器情報"、"工程及び作業情報"の中から選択することで入力してもよいし、追加情報として直接入力してもよい。
【００６５】
施工業者１８２による撮影が完了すると、端末装置１５０は、アプリケーションを介して撮影画像データをサーバ装置１２０に送信する。なお、上述したように、端末装置１５０により送信される撮影画像データのヘッダ部には、属性情報が記録されている。具体的には、
・属性情報を取得した際に施工業者１８２が選択した選択結果（案件、場所及び機器、工程及び作業、撮影タイミング）、及び、
・撮影した際に施工業者１８２が入力した追加情報（施工業者と特定する情報、撮影者を特定する情報、撮影画像データに対する評価、撮影日、施工立会者に関する情報）、
が記録されている。
【００６６】
ステップＳ４１１において、サーバ装置１２０の施工写真取得部１２５は、端末装置１５０より送信された撮影画像データを、施工写真として、施工写真格納部１３５に格納する。
【００６７】
ステップＳ４１２において、事業者１８１は、挿入ルールを決定し、情報入力装置１１０は、事業者１８１により決定された挿入ルールを、サーバ装置１２０に送信する。
【００６８】
ステップＳ４１３において、サーバ装置１２０のルール取得部１２４は、情報入力装置１１０より送信された挿入ルールを取得する。
【００６９】
ステップＳ４１４において、サーバ装置１２０の完成図書生成部１２６は、完成図書生成処理（本実施形態においては、施工写真台帳データの生成処理）を行う（詳細なフローチャートは図１５を用いて後述する）。
【００７０】
具体的には、サーバ装置１２０の完成図書生成部１２６は、ステップＳ４１１において格納された撮影画像データを、ヘッダ部に記録された属性情報（選択結果、追加情報）を参照しながら、挿入ルールに従って配列する。また、サーバ装置１２０の完成図書生成部１２６は、挿入ルールに従って配列した撮影画像データを、ステップＳ４０５において生成された挿入前情報に、順次、挿入する。このように、挿入ルールに従って配列したうえで挿入することで、挿入処理を高速化することができる。
【００７１】
なお、撮影画像データが挿入された挿入前情報は、事業者１８１からの要求に応じて情報入力装置１１０に表示される。このとき、同じ属性情報に複数の撮影画像データが対応付けられている場合には、事業者１８１によって、１の撮影画像データが選択される。これにより、属性情報ごとに適切な１の撮影画像データが挿入された施工写真台帳データが生成され、完成図書格納部１３６に格納される。
【００７２】
具体的には、ステップＳ４１５において、情報入力装置１１０は、撮影画像データが挿入された挿入前情報の各ページ画面を、サーバ装置１２０から受信し、表示する。また、事業者１８１は、表示された各ページ画面において、同じ属性情報に複数の撮影画像データが対応付けられている場合には、１の撮影画像データを選択する。更に、情報入力装置１１０は、事業者１８１による選択指示をサーバ装置１２０に送信する。これにより、完成図書生成部１２６では、属性情報ごとに選択された１の撮影画像データを挿入した施工写真台帳データを生成する。
【００７３】
ステップＳ４１６において、情報出力装置１４０は、顧客１８０の指示に基づいて、サーバ装置１２０に対して完成図書データのダウンロード要求を行う。これにより、完成図書生成部１２６では、完成図書データを情報出力装置１４０にダウンロードする。情報出力装置１４０は、サーバ装置１２０よりダウンロードした完成図書データを取得し、表示する。
【００７４】
＜サーバ装置及び端末装置のハードウェア構成＞
次に、サーバ装置１２０及び端末装置１５０のハードウェア構成について説明する。図５は、サーバ装置及び端末装置のハードウェア構成の一例を示す図である。
【００７５】
（１）サーバ装置のハードウェア構成
図５（ａ）に示すように、サーバ装置１２０は、ＣＰＵ（Central Processing Unit）５０１、ＲＯＭ（Read Only Memory）５０２、ＲＡＭ（Random Access Memory）５０３を有する。ＣＰＵ５０１、ＲＯＭ５０２、ＲＡＭ５０３は、いわゆるコンピュータを形成する。
【００７６】
また、サーバ装置１２０は、補助記憶装置５０４、表示装置５０５、操作装置５０６、通信装置５０７、ドライブ装置５０８を有する。なお、サーバ装置１２０の各ハードウェアは、バス５０９を介して相互に接続される。
【００７７】
ＣＰＵ５０１は、補助記憶装置５０４にインストールされている各種プログラム（例えば、作業支援プログラム等）を実行する演算デバイスである。
【００７８】
ＲＯＭ５０２は、不揮発性メモリである。ＲＯＭ５０２は、補助記憶装置５０４にインストールされている各種プログラムをＣＰＵ５０１が実行するために必要な各種プログラム、データ等を格納する主記憶デバイスとして機能する。具体的には、ＲＯＭ５０２はＢＩＯＳ（Basic Input/Output System）やＥＦＩ（Extensible Firmware Interface）等のブートプログラム等を格納する、主記憶デバイスとして機能する。
【００７９】
ＲＡＭ５０３は、ＤＲＡＭ（Dynamic Random Access Memory）やＳＲＡＭ（Static Random Access Memory）等の揮発性メモリである。ＲＡＭ５０３は、補助記憶装置５０４にインストールされている各種プログラムがＣＰＵ５０１によって実行される際に展開される作業領域を提供する、主記憶デバイスとして機能する。
【００８０】
補助記憶装置５０４は、各種プログラムや、各種プログラムが実行される際に用いられる情報を格納する補助記憶デバイスである。施工業者情報格納部１３１、アプリ格納部１３２、属性情報格納部１３３、挿入前情報格納部１３４、施工写真格納部１３５、完成図書格納部１３６は、補助記憶装置５０４において実現される。
【００８１】
表示装置５０５は、サーバ装置１２０の内部状態を表示する表示デバイスである。操作装置５０６は、サーバ装置１２０の管理者（不図示）がサーバ装置１２０に対して各種指示を入力する際に用いる入力デバイスである。
【００８２】
通信装置５０７は、ネットワーク１６０に接続し、情報入力装置１１０、情報出力装置１４０、端末装置１５０等と通信を行うための通信デバイスである。
【００８３】
ドライブ装置５０８は記録媒体５１０をセットするためのデバイスである。ここでいう記録媒体５１０には、ＣＤ−ＲＯＭ、フレキシブルディスク、光磁気ディスク等のように情報を光学的、電気的あるいは磁気的に記録する媒体が含まれる。また、記録媒体５１０には、ＲＯＭ、フラッシュメモリ等のように情報を電気的に記録する半導体メモリ等が含まれていてもよい。
【００８４】
なお、補助記憶装置５０４にインストールされる各種プログラムは、例えば、配布された記録媒体５１０がドライブ装置５０８にセットされ、該記録媒体５１０に記録された各種プログラムがドライブ装置５０８により読み出されることでインストールされる。あるいは、補助記憶装置５０４にインストールされる各種プログラムは、通信装置５０７を介して、ネットワーク１６０よりダウンロードされることでインストールされてもよい。
【００８５】
（２）端末装置のハードウェア構成
図５（ｂ）に示すように、端末装置１５０は、サーバ装置１２０と同様のハードウェア構成（ＣＰＵ５２１〜通信装置５２７）を有しているため、ここでは、サーバ装置１２０との相違点について説明する。
【００８６】
サーバ装置１２０との相違点は、端末装置１５０の場合、撮像部として機能する撮像装置５２８を有する点である。撮像装置５２８は、施工業者１８２の操作のもとで動作し、撮影画像データを生成する。
【００８７】
＜サーバ装置に格納される各種情報の具体例＞
次に、サーバ装置１２０に格納される各種情報（ここでは、施工業者情報、アプリケーション情報、属性情報）の具体例について説明する。
【００８８】
（１）施工業者情報、アプリケーション情報の具体例
はじめに、サーバ装置１２０の施工業者情報格納部１３１に格納される施工業者情報、アプリ格納部１３２に格納されるアプリケーション情報について説明する。
【００８９】
図６は、施工業者情報、アプリケーション情報の一例を示す図である。このうち、図６（ａ）は、施工業者情報６１０の一例を示している。図６（ａ）に示すように、施工業者情報６１０には、事業者１８１が空調機器システムの施工を行うにあたって契約した、全ての施工業者に関する情報が格納される。
【００９０】
具体的には、情報の項目として、"業者ＩＤ"、"業者名"、"住所"、"連絡先"、"施工監督"、"ユーザＩＤ"、"パスワード"が含まれる。
【００９１】
"業者ＩＤ"には、事業者１８１が空調機器システムの施工を行うにあたって契約した施工業者を特定する識別子が格納される。"業者名"には、当該施工業者の名称が格納される。"住所"、"連絡先"には、当該施工業者の住所、連絡先がそれぞれ格納される。"施工監督"には、対応する施工業者の施工監督の名前が格納される。"ユーザＩＤ"、"パスワード"には、対応する施工業者が端末装置を介して（例えば、施工業者１８２が端末装置１５０を介して）サーバ装置１２０にアクセスする際のユーザＩＤ及びパスワードが格納される。
【００９２】
一方、図６（ｂ）は、アプリケーション情報６２０の一例を示している。図６（ｂ）に示すように、アプリケーション情報６２０には、事業者１８１が空調機器システムの施工を行うにあたって契約した各施工業者が、施工現場に携行する端末装置上で利用するアプリケーションに関する情報が格納される。
【００９３】
具体的には、アプリケーション情報６２０には、情報の項目として、"アプリＩＤ"、"アプリ名"、"種類"、"バージョン"、"更新日時"、"格納先ＵＲＬ"が含まれる。
【００９４】
"アプリＩＤ"には、当該アプリケーションを特定する識別子が格納される。"アプリ名"には、当該アプリケーションの名称が格納される。"種類"、"バージョン"、"更新日時"には、それぞれ、対応するアプリケーションの種類、バージョン、更新日時が格納される。"格納先ＵＲＬ"には、対応するアプリケーションの格納先のＵＲＬが格納される。
【００９５】
（２）属性情報の具体例
次に、サーバ装置１２０の属性情報格納部１３３に格納される属性情報について説明する。上述したように、属性情報には、案件情報と、施工内容と、撮影タイミング情報とが含まれ、施工内容については、場所及び機器情報と、工程及び作業情報とに分けて格納されている。このため、ここでは、案件情報、場所及び機器情報、工程及び作業情報、撮影タイミング情報について説明する。
【００９６】
図７は、案件情報、場所及び機器情報、工程及び作業情報、撮影タイミング情報の一例を示す図である。このうち、図７（ａ）は、案件情報７１０の一例を示している。図７（ａ）に示すように、案件情報７１０には、事業者１８１が様々な顧客から依頼された空調機器システムの施工案件に関する情報が格納される。
【００９７】
具体的には、情報の項目として、"物件名"、"案件ＩＤ"、"案件名"、"依頼元"、"案件責任者"、"詳細情報"、"契約業者"が含まれる。
【００９８】
"物件名"には、空調機器システムを施工する物件の名称（例えば、建物の名称等）が格納される。"案件ＩＤ"には、施工案件を特定する識別子が格納される。"案件名"には、施工案件の名称が格納される。
【００９９】
"依頼元"には、施工案件の依頼元である顧客に関する情報が格納される。"案件責任者"には、事業者１８１が施工案件ごとに定めた案件責任者の名前が格納される。"詳細情報"には、施工案件の詳細情報が格納される。"契約業者"には、施工案件ごとに事業者１８１が契約した施工業者の業者ＩＤが格納される。
【０１００】
一方、図７（ｂ−１）は、場所及び機器情報７２０の一例を示している。場所及び機器情報７２０は、施工案件ごとに登録され、図７（ｂ−１）は、案件名＝"ＡＡＡ"の施工案件についての場所及び機器情報を示している。
【０１０１】
図７（ｂ−１）に示すように、場所及び機器情報７２０には、情報の項目として、"場所及び機器区分"、"フロア"、"部屋・ゾーン"、"場所"、"系統"、"機器"が含まれる。
【０１０２】
"場所及び機器区分"には、施工内容を、場所及び機器区分により分けた場合の各区分を特定する識別子が格納される。"フロア"には、施工が行われる棟の名称、階数等が格納される。"部屋・ゾーン"には、施工が行われる、部屋またはゾーンの名称が格納される。"場所"には、機器の取り付け位置を示す情報が格納される。
【０１０３】
"系統"には、取り付けられる機器が接続される冷媒系統を示す情報が格納される。"機器"には、取り付けられる機器の機種名が格納される。
【０１０４】
場所及び機器情報７２０の場合、例えば、場所及び機器区分＝"１"は、北棟１階の１年１組の教室の天井裏に、機種名が"ＦＦＦ００１ＤＤ"の機器が取り付けられ、系統Ａに接続されることを示している。
【０１０５】
同様に、場所及び機器区分＝"２"は、北棟１階の１年２組の教室の天井裏に、機種名が"ＦＦＦ００１ＤＤ"の機器が取り付けられ、系統Ａに接続されることを示している。
【０１０６】
一方、図７（ｂ−２）は、工程及び作業情報７３０の一例を示している。工程及び作業情報７３０は、場所及び機器情報７２０同様、施工案件ごとに登録される。図７（ｂ−２）は、案件名＝"ＡＡＡ"の施工案件についての工程及び作業情報を示している。
【０１０７】
図７（ｂ−２）に示すように、工程及び作業情報７３０には、情報の項目として、"工程及び作業区分"、"工程"、"作業"が含まれる。
【０１０８】
"工程及び作業区分"には、施工内容を、工程及び作業区分により分けた場合の各区分を特定する識別子が格納される。
【０１０９】
"工程"には、工事または試験のいずれかが格納される。"作業"には、実施される作業内容が格納される。
【０１１０】
工程及び作業情報７３０の場合、例えば、工程及び作業区分＝"１"は、室内機を設置する工事を示しており、工程及び作業区分＝"２"は、通水試験を示している。また、工程及び作業区分＝"３"は、冷媒配管を敷設する工事を示している。
【０１１１】
一方、図７（ｃ）は、撮影タイミング情報７４０の一例を示している。図７（ｃ）に示すように、撮影タイミング情報７４０には、"実施前"、"実施中"、"実施後"が含まれる。
【０１１２】
＜施工写真台帳のデータを生成する処理の具体例＞
次に、作業支援システム１００において、施工写真台帳のデータを生成する場合の、図４のシーケンス図の各ステップの処理（ここでは、ステップＳ４０２〜Ｓ４０５、Ｓ４０９〜Ｓ４１０、Ｓ４１２〜Ｓ４１４の処理）の具体例について説明する。
【０１１３】
（１）テンプレートの取得から挿入前情報の生成までの処理の具体例
はじめに、図４に示したシーケンス図のうち、ステップＳ４０２（テンプレートの取得）からステップＳ４０５（挿入前情報の生成）までの処理の具体例について説明する。
【０１１４】
図８は、テンプレート取得から挿入前情報生成までの処理の具体例を示す図である。図８において、テンプレート８００は、施工写真台帳用のテンプレートであり、案件名を入力する案件名入力欄８０１と、撮影画像データが挿入される施工写真挿入欄８０２と、属性情報が入力される属性情報入力欄８０３とが含まれる。
【０１１５】
ルール取得部１２４では、まず、施工写真台帳用のテンプレート８００を取得する。続いて、ルール取得部１２４では、情報入力装置１１０より表記ルールを取得する。続いて、ルール取得部１２４では、属性情報格納部１３３より、案件情報７１０を読み出し、表記ルールに定められた表記内容に応じた案件名を、案件名入力欄８０１に設定する。
【０１１６】
続いて、ルール取得部１２４では、属性情報格納部１３３より、場所及び機器情報７２０、工程及び作業情報７３０、撮影タイミング情報７４０を構成する各項目を読み出し、表記ルールに定められた表記内容に応じた項目を属性情報入力欄８０３に設定する。また、ルール取得部１２４では、場所及び機器情報７２０、工程及び作業情報７３０、撮影タイミング情報７４０を構成する各項目以外の項目であって、表記ルールに定められた表記内容に応じた項目を属性情報入力欄８０３に設定する。
【０１１７】
これにより、ルール取得部１２４では、挿入前情報８１０を生成し、挿入前情報格納部１３４に格納する。
【０１１８】
図８の例は、案件情報７１０に基づいて、案件名入力欄８０１に、案件名＝"ＡＡＡ"が設定された様子を示している。また、図８の例は、場所及び機器情報７２０、工程及び作業情報７３０、撮影タイミング情報７４０を構成する各項目の中から表記ルールに定められた表記内容（フロア、部屋・ゾーン、機器、作業、撮影タイミング）が設定された様子を示している。また、図８の例は、場所及び機器情報７２０、工程及び作業情報７３０、撮影タイミング情報７４０を構成する各項目以外の項目であって、表記ルールに定められた表記内容（撮影日）が設定された様子を示している。
【０１１９】
このように、表記ルールに基づいて、属性情報入力欄８０３に入力する項目を設定する構成とすることで、事業者１８１が施工写真台帳のデータを生成する際の作業負荷を低減することができる。
【０１２０】
（２）属性情報の取得から撮影までの処理の具体例
次に、図４に示したシーケンス図のうち、ステップＳ４０９（属性情報の取得）からステップＳ４１０（撮影）までの処理の具体例について説明する。図９は、属性情報取得から撮影までの処理の具体例を示す図である。
【０１２１】
施工業者１８２が、インストールされたアプリケーションを起動し、サーバ装置１２０に対するログイン操作（図４のステップＳ４０６）を行うことで認証が成功すると、図９に示すように、端末装置１５０では、属性情報を取得する。
【０１２２】
具体的には、サーバ装置１２０から案件情報（例えば、案件情報７１０）が送信される。これにより、端末装置１５０では、受信した案件情報を一覧表示する。このとき、施工業者１８２は、一覧表示された案件情報の中から、施工する案件を選択する。
【０１２３】
続いて、サーバ装置１２０から、選択した案件に対応する、場所及び機器情報（例えば、場所及び機器情報７２０）、工程及び作業情報（例えば、工程及び作業情報７３０）が送信される。これにより、端末装置１５０では、場所及び機器情報、工程及び作業情報を一覧表示する。このとき、施工業者１８２は、一覧表示された場所及び機器情報、工程及び作業情報の中から、施工業者１８２が施工する場所及び機器、工程及び作業を選択する。
【０１２４】
続いて、サーバ装置１２０から、撮影タイミング情報（例えば、撮影タイミング情報７４０）が送信される。これにより、端末装置１５０では、撮影タイミング情報を一覧表示する。このとき、施工業者１８２は、一覧表示された撮影タイミング情報の中から、撮影タイミングを選択する。
【０１２５】
施工業者１８２により選択された選択結果は、端末装置１５０において、黒板情報９１１に反映される。黒板情報９１１は、施工業者１８２が施工現場において施工写真の撮影を行う際に、端末装置１５０の画面上に表示される（画像データ９１０参照）。
【０１２６】
施工業者１８２は、黒板情報９１１が表示された状態で撮影を行う。これにより、端末装置１５０では、黒板情報９１１が重畳された画像データ９１０が本体部９２２に記録された撮影画像データ９２０を生成することができる。なお、撮影画像データ９２０のヘッダ部９２１には、施工業者１８２により選択された選択結果が記録される。
【０１２７】
このように、属性情報を端末装置１５０に提供し、施工業者１８２に選択させる構成とすることで、施工業者１８２が施工現場において施工写真を撮影する際の作業負荷を低減することができる（属性情報を入力する手間を省くことができる）。
【０１２８】
施工業者１８２は、撮影が完了すると、追加情報を入力する。上述したように、追加情報には、施工業者を特定する情報、撮影者を特定する情報、撮影画像データに対する評価、撮影日時を特定する情報、施工立会者に関する情報が含まれる。なお、ここでいう撮影画像データに対する評価とは、撮影画像データがＯＫであるかＮＧであるかといった簡易な評価であってもよいし、細かい評価であってもよい。
【０１２９】
細かい評価としては、例えば、
・撮影画像データが適切に撮影されたものであるか否か（手振れ等により画質が低下していないか）、
・撮影画像データが施工写真台帳データに挿入するのに適切なデータか否か（施工写真台帳データに挿入するうえでの要求を満たしているか、撮影すべき位置として適切か）、
・撮影画像データの用途（施工写真台帳データに挿入する、または、施工写真台帳データに挿入しないが削除せずに保管しておく）、
などが含まれる。
【０１３０】
なお、図９に示すように、施工業者１８２により追加情報が入力されると、端末装置１５０では、入力された追加情報を、撮影画像データ９２０のヘッダ部９２１に記録する。これにより、撮影画像データ９２０のヘッダ部９２１には、属性情報（選択結果、追加情報）が記録される。
【０１３１】
また、図９に示すように、施工業者１８２は、施工現場において撮影を行うたびに同様の処理を繰り返す。これにより、全ての撮影が完了した時点で、端末装置１５０には、複数の撮影画像データ９３０が格納されることになる。
【０１３２】
端末装置１５０では、格納した複数の撮影画像データ９３０を、サーバ装置１２０に送信する。なお、端末装置１５０が撮影画像データをサーバ装置１２０に送信するタイミングは、図９のように全ての撮影が完了した後であってもよいし、個々の撮影が完了した直後であってもよい。
【０１３３】
（３）挿入ルール決定の具体例
次に、図４に示したシーケンス図のうち、ステップＳ４１２（挿入ルール）の処理の具体例について説明する。
【０１３４】
（３−１）第１の具体例
図１０は、挿入ルールに基づく配列例を示す第１の図である。図１０の例は、
・撮影画像データを、作業単位でグループ分けし、作業＝室内機設置のグループ→作業＝通水試験のグループ→作業＝冷媒配管敷設のグループの順に、配列すること、及び、
・各グループに分類された撮影画像データを、部屋・ゾーン単位、機器単位で更に分類し、同じ部屋・ゾーンの撮影画像データ、同じ機器の撮影画像データを優先的に配列した後に、撮影タイミングの順に配列すること、
を定めた挿入ルールに従って、撮影画像データを配列した様子を示している。
【０１３５】
なお、図１０において、複数の撮影画像データが重ねて示されているのは、同じ属性情報に複数の撮影画像データが対応付けられたことを示している。例えば、作業＝室内機設置、部屋・ゾーン＝１年１組、機器＝ＦＦＦ００１ＤＤ、撮影タイミング＝実施前の場合、属性情報入力欄８０３に入力される属性情報が等しい、２枚の撮影画像データが対応付けられたことを示している。
【０１３６】
（３−２）第２の具体例
図１１は、挿入ルールに基づく配列例を示す第２の図である。図１１の例は、
・撮影画像データを、部屋・ゾーン単位及び機器単位でグループ分けし、（部屋・ゾーン、機器）が（１年１組、ＦＦＦ００１ＤＤ）→（１年２組、ＦＦＦ００１ＤＤ）→・・・の順になるように配列すること、及び、
・各グループに分類された撮影画像データを、作業単位で更に分類し、同じ作業の撮影画像データを優先的に配列した後に、撮影タイミングの順に配列すること、
を定めた挿入ルールに従って、撮影画像データを配列した様子を示している。
【０１３７】
（４）挿入ルール取得から完成図書生成までの処理の具体例
次に、図４に示したシーケンス図のうち、ステップＳ４１３（挿入ルール取得）からステップＳ４１４（完成図書生成）までの処理の具体例について説明する。図１２は、挿入ルール取得から完成図書生成までの処理の具体例を示す図である。
【０１３８】
ルール取得部１２４が情報入力装置１１０より挿入ルールを取得すると、完成図書生成部１２６では、挿入前情報格納部１３４より挿入前情報８１０を読み出す。また、完成図書生成部１２６では、施工写真格納部１３５より撮影画像データ９３０を読み出す。
【０１３９】
続いて、完成図書生成部１２６では、読み出した撮影画像データ９３０を、ヘッダ部に記録された属性情報（ここでは、選択結果）を参照しながら、取得した挿入ルールに従って配列する。撮影画像データ１２３０は、挿入ルールに従って配列した後の撮影画像データを示している。
【０１４０】
続いて、完成図書生成部１２６は、挿入ルールに従って配列した撮影画像データ１２３０を、挿入前情報８１０に、順次、挿入することで施工写真台帳データを生成する。具体的には、完成図書生成部１２６では、撮影画像データ１２３０の本体部を、施工写真挿入欄８０２に挿入し、撮影画像データ１２３０のヘッダ部に記録された属性情報（選択結果、追加情報）を、属性情報入力欄８０３に入力する。これにより、完成図書生成部１２６では、施工写真台帳データを生成することができる。
【０１４１】
このように、ヘッダ部に記録された属性情報を参照しながら、挿入ルールに従って撮影画像データを自動的に配列する構成とすることで、事業者１８１が施工写真台帳のデータを生成する際の作業負荷を低減することができる。
【０１４２】
なお、完成図書生成部１２６では、ヘッダ部に記録された属性情報（ここでは選択結果）が同じ撮影画像データが複数ある場合、当該複数の撮影画像データを、施工写真挿入欄８０２に対応付けて保持する。つまり、完成図書生成部１２６では、同じ属性情報に複数の撮影画像データが対応付けられている場合、当該複数の撮影画像データを、施工写真挿入欄８０２に対応付けて保持する。
【０１４３】
なお、施工写真台帳データを構成する各ページのうち、施工写真挿入欄８０２に撮影画像データの本体部が対応付けられたページが表示される場合にあっては、撮影画像データの本体部は、対応する施工写真挿入欄８０２の挿入候補として、選択可能に表示される。
【０１４４】
＜表示及び選択の処理の具体例＞
次に、図４に示したシーケンス図のうち、ステップＳ４１５（表示及び選択）の処理の具体例について説明する。上述したように、情報入力装置１１０は、施工写真台帳データの各ページ画面を表示する際、同じ属性情報に複数の撮影画像データが対応付けられていた場合に、１の撮影画像データの選択を受け付ける。
【０１４５】
図１３は、表示及び選択の処理の具体例を示す第１の図であり、情報入力装置１１０が、同じ属性情報に複数の撮影画像データが対応付けられていたページ画面を表示した様子を示している。
【０１４６】
具体的には、施工写真台帳データ１３１０は、ヘッダ部に記録された属性情報（ここでは選択結果）が、
・フロア＝北棟１階、
・部屋・ゾーン＝１年１組、
・機器＝ＦＦＦ００１ＤＤ、
・作業＝室内機設置、
・撮影タイミング＝実施前、
である撮影画像データ１３１１、１３１２が、挿入候補として、施工写真挿入欄８０２に対応付けて保持された様子を示している。
【０１４７】
同様に、施工写真台帳データ１３２０は、ヘッダ部に記録された属性情報（ここでは選択結果）が、
・フロア＝北棟１階、
・部屋・ゾーン＝１年１組、
・機器＝ＦＦＦ００１ＤＤ、
・作業＝室内機設置、
・撮影タイミング＝実施中、
である撮影画像データ１３２１、１３２２、１３２３が、挿入候補として、施工写真挿入欄８０２に対応付けて保持された様子を示している。
【０１４８】
情報入力装置１１０により施工写真台帳データ１３１０のページ画面が表示されると、事業者１８１は、挿入候補の撮影画像データ１３１１、１３１２のいずれかを選択する。これにより、情報入力装置１１０では、いずれの挿入候補が選択されたかを示す選択指示をサーバ装置１２０に送信する。
【０１４９】
同様に、情報入力装置１１０により施工写真台帳データ１３２０のページ画面が表示されると、事業者１８１は、挿入候補の撮影画像データ１３２１、１３２２、１３２３のいずれかを選択する。これにより、情報入力装置１１０では、いずれの挿入候補が選択されたかを示す選択指示をサーバ装置１２０に送信する。
【０１５０】
図１４は、表示及び選択の処理の具体例を示す第２の図である。図１４の例は、挿入候補が選択されることで、撮影画像データの本体部が施工写真挿入欄８０２に挿入されるとともに、撮影画像データのヘッダ部に記録された撮影日が、属性情報入力欄８０３の撮影日の項目に入力された様子を示している。
【０１５１】
このうち、施工写真台帳データ１３１０については、撮影画像データ１３１２が選択され、撮影画像データ１３１２の本体部が、施工写真挿入欄８０２に挿入されたことを示している。また、撮影画像データ１３１２のヘッダ部に記録された属性情報のうち、追加情報の１つである撮影日が、属性情報入力欄８０３の撮影日の項目に入力された様子を示している。
【０１５２】
一方、施工写真台帳データ１３２０については、撮影画像データ１３２２が選択され、撮影画像データ１３２２の本体部が、施工写真挿入欄８０２に挿入されたことを示している。また、撮影画像データ１３２２のヘッダ部に記録された属性情報のうち、追加情報の１つである撮影日が、属性情報入力欄８０３の撮影日の項目に入力された様子を示している。
【０１５３】
なお、図１３及び図１４においては示していないが、情報入力装置１１０が施工写真挿入欄８０２に対応付けられた撮影画像データを挿入候補として表示するにあたっては、ヘッダ部に記録された追加情報をあわせて表示するように構成してもよい。
【０１５４】
このように、挿入候補を施工写真挿入欄８０２に対応付けて保持する構成とすることで、事業者１８１は、施工写真台帳データの各ページ画面を表示させるごとに、当該ページ画面の施工写真挿入欄８０２に挿入すべき挿入候補を視認することができる。
【０１５５】
このため、従来のように、複数の撮影画像データ９３０の中から選択する場合と比較して、事業者１８１が撮影画像データを選択する際の作業負荷を低減することができる。また、撮影画像データを選択するにあたり、ヘッダ部に記録された追加情報を閲覧することができるため、事業者１８１は、より適切な撮影画像データを選択することが可能となる。
【０１５６】
＜完成図書生成処理の流れ＞
次に、サーバ装置１２０のルール取得部１２４及び完成図書生成部１２６による完成図書生成処理（図４のステップＳ４１４）の流れについて説明する。図１５は、完成図書生成処理の流れを示すフローチャートの一例である。
【０１５７】
ステップＳ１５０１において、ルール取得部１２４は、施工写真格納部１３５に格納された撮影画像データを読み出す。また、ルール取得部１２４は、読み出した撮影画像データを、撮影画像データのヘッダ部に記録された属性情報を参照しながら、挿入ルールに従って配列する。
【０１５８】
ステップＳ１５０２において、ルール取得部１２４は、挿入ルールに従って配列した撮影画像データを、順次、挿入前情報に割り当てる。
【０１５９】
ステップＳ１５０３において、完成図書生成部１２６は、１の挿入前情報に割り当てられた撮影画像データが複数あるか否かを判定する。ステップＳ１５０３において、１の挿入前情報に割り当てられた撮影画像データが単数であると判定した場合には（ステップＳ１５０３においてＮｏの場合には）、ステップＳ１５０４に進む。
【０１６０】
ステップＳ１５０４において、完成図書生成部１２６は、撮影画像データのヘッダ部に記録された属性情報を、挿入前情報の属性情報入力欄に入力する。
【０１６１】
ステップＳ１５０５において、完成図書生成部１２６は、撮影画像データの本体部を、挿入前情報の施工写真挿入欄に挿入する。
【０１６２】
一方、ステップＳ１５０３において、１の挿入前情報に割り当てられた撮影画像データが複数であると判定した場合には（ステップＳ１５０３においてＹｅｓの場合には）、ステップＳ１５０６に進む。
【０１６３】
ステップＳ１５０６において、完成図書生成部１２６は、撮影画像データのヘッダ部に記録された属性情報のうち、追加情報の１つである撮影日を除く属性情報を、属性情報入力欄に入力する。
【０１６４】
ステップＳ１５０７において、完成図書生成部１２６は、撮影画像データを、挿入前情報の施工写真挿入欄に対応付ける。
【０１６５】
ステップＳ１５０８において、完成図書生成部１２６は、情報入力装置１１０より施工写真台帳データの表示要求を受信したか否かを判定する。ステップＳ１５０８において、表示要求を受信していないと判定した場合には（ステップＳ１５０８においてＮｏの場合には）、表示要求を受信したと判定されるまで待機する。
【０１６６】
一方、ステップＳ１５０８において、表示要求を受信したと判定した場合には（ステップＳ１５０８においてＹｅｓの場合には）、ステップＳ１５０９に進む。
【０１６７】
ステップＳ１５０９において、完成図書生成部１２６は、施工写真台帳データのうち、情報入力装置１１０により指定されたページ画面を、情報入力装置１１０に送信する。
【０１６８】
ステップＳ１５１０において、完成図書生成部１２６は、情報入力装置１１０より選択指示を受信したか否かを判定する。ステップＳ１５１０において、選択指示を受信していないと判定した場合には（ステップＳ１５１０においてＮｏの場合には）、ステップＳ１５１２に進む。
【０１６９】
一方、ステップＳ１５１０において、選択指示を受信したと判定した場合には（ステップＳ１５１０においてＹｅｓの場合には）、ステップＳ１５１１に進む。
【０１７０】
ステップＳ１５１１において、完成図書生成部１２６は、選択指示された撮影画像データの本体部を、対応する施工写真挿入欄に挿入する。また、選択指示された撮影画像データのヘッダ部に記録された撮影日を、属性情報入力欄の撮影日の項目に入力する。
【０１７１】
ステップＳ１５１２において、完成図書生成部１２６は、情報入力装置１１０より他のページ画面の表示要求を受信したか否かを判定する。ステップＳ１５１２において、他のページ画面の表示要求を受信したと判定した場合には（ステップＳ１５１２においてＹｅｓの場合には）、ステップＳ１５０９に戻る。
【０１７２】
一方、ステップＳ１５１２において、他のページ画面の表示要求を受信していないと判定した場合には（ステップＳ１５１２においてＮｏの場合には）、ステップＳ１５１３に進む。
【０１７３】
ステップＳ１５１３において、完成図書生成部１２６は、情報入力装置１１０より終了指示を受信したか否かを判定する。ステップＳ１５１３において、終了指示を受信していないと判定した場合には（ステップＳ１５１３においてＮｏの場合には）、ステップＳ１５１０に戻る。
【０１７４】
一方、ステップＳ１５１３において、終了指示を受信したと判定した場合には（ステップＳ１５１３においてＹｅｓの場合には）、完成図書生成処理を終了する。
【０１７５】
＜まとめ＞
以上の説明から明らかなように、第１の実施形態に係るサーバ装置では、
・施工写真取得部が、施工内容と撮影タイミング情報とを含む属性情報と撮影画像データとを対応付ける端末装置から、属性情報が対応付けられた複数の撮影画像データを取得する。
・ルール取得部が、施工写真台帳データに対する撮影画像データの挿入ルール及び／または施工写真台帳の表記ルールを取得する。
・完成図書生成部が、施工写真取得部により取得された複数の撮影画像データのヘッダ部に記録された属性情報と、ルール取得部により取得された挿入ルール及び／または表記ルールとに基づいて、施工写真台帳データを生成する。
【０１７６】
これにより、第１の実施形態によれば、施工写真台帳データを生成する際の事業者の作業負荷を低減することができる。
【０１７７】
［第２の実施形態］
上記第１の実施形態では、撮影画像データを撮影した際に、施工業者１８２が追加情報を入力するものとして説明した。しかしながら、追加情報も属性情報格納部１３３に予め格納しておき、サーバ装置１２０が属性情報を提供する際、あわせて提供するように構成してもよい。
【０１７８】
これにより、施工業者１８２は、他の属性情報と同様に、端末装置１５０上に表示された中から選択することが可能になる。
【０１７９】
また、上記第１の実施形態では、挿入ルールに基づく配列例として、図１０及び図１１の２つのパターンについて示したが、挿入ルールに基づく配列例は、当該２つのパターンに限定されず、他のパターンを適用してもよいことは言うまでもない。
【０１８０】
また、上記第１の実施形態では、完成図書２００のうち、施工写真台帳データを生成する場合の作業支援システム１００の処理について説明した。しかしながら、作業支援システム１００は、施工写真台帳データ以外のデータ（例えば、空調機試運転表データ、気密試験結果表データ、通水試験結果表データ、風量測定試験比較表データ等）を生成する際に適用してもよい。
【０１８１】
また、上記第１の実施形態では、撮影日を、追加情報の１つとして施工業者１８２が入力するものとして説明したが、撮影日は、自動的に入力されるように構成してもよい。
【０１８２】
また、上記第１の実施形態では、同じ属性情報に複数の撮影画像データが対応付けられている場合には、事業者１８１が、１の撮影画像データを選択するものとして説明した。しかしながら、１の撮影画像データの選択方法はこれに限定されず、例えば、最後に撮影された撮影画像データが自動的に選択されるように構成してもよい。また、事業者１８１が１の撮影画像データを選択した後に、同じ属性情報が記録された撮影画像データが追加された場合には、事業者１８１に選択された１の撮影画像データと、選択後に追加された撮影画像データとを、選択候補として表示してもよい。つまり、１回目に選択されなかった撮影画像データは、選択候補から除外してもよい。
【０１８３】
以上、実施形態を説明したが、特許請求の範囲の趣旨及び範囲から逸脱することなく、形態や詳細の多様な変更が可能なことが理解されるであろう。
【符号の説明】
【０１８４】
１００                  ：作業支援システム
１１０                  ：情報入力装置
１２０                  ：サーバ装置
１２１                  ：登録部
１２２                  ：アプリケーション提供部
１２３                  ：属性情報提供部
１２４                  ：ルール取得部
１２５                  ：施工写真取得部
１２６                  ：完成図書生成部
１４０                  ：情報出力装置
１５０                  ：端末装置
２００                  ：完成図書
６１０                  ：施工業者情報
６２０                  ：アプリケーション情報
７１０                  ：案件情報
７２０                  ：場所及び機器情報
７３０                  ：工程及び作業情報
７４０                  ：撮影タイミング情報
８００                  ：テンプレート
８０１                  ：案件名入力欄
８０２                  ：施工写真挿入欄
８０３                  ：属性情報入力欄
８１０                  ：挿入前情報
９１０                  ：画像データ
９１１                  ：黒板情報
９２０                  ：撮影画像データ
９２１                  ：ヘッダ部
９２２                  ：本体部
１３１０、１３２０      ：施工写真台帳データ
１３１１、１３１２      ：撮影画像データ
１３２１〜１３２３      ：撮影画像データ
【図１】
0006950769.tif 000002
【図２】
0006950769.tif 000003
【図３】
0006950769.tif 000004
【図４】
0006950769.tif 000005
【図５】
0006950769.tif 000006
【図６】
0006950769.tif 000007
【図７】
0006950769.tif 000008
【図８】
0006950769.tif 000009
【図９】
0006950769.tif 000010
【図１０】
0006950769.tif 000011
【図１１】
0006950769.tif 000012
【図１２】
0006950769.tif 000013
【図１３】
0006950769.tif 000014
【図１４】
0006950769.tif 000015
【図１５】
0006950769.tif 000016